(57)【要約】【課題】本発明は、プロジェクションテレビのスクリーン取付構造であって、スクリーンの伸縮による、スクリーンのたわみを抑制し、画面欠点が発生しにくく、かつ意匠性に優れたスクリーン取付構造の提供を目的とする。【解決手段】本発明に係るスクリーン取付構造は、スクリーン２の端部を遊びスペースなく固定するフレーム１と、スクリーン２の伸縮によるフレーム１の動きを吸収する吸収機構と、吸収機構を介してフレーム１が取り付けられる筐体５とを備える。【選択図】図１
2013160838.tif 000002
【特許請求の範囲】
【請求項１】
プロジェクションテレビのスクリーン取付構造であって、
前記スクリーンの端部を遊びスペースなく固定するフレームと、
前記スクリーンの伸縮による前記フレームの動きを吸収する吸収機構と、
前記吸収機構を介して前記フレームが取り付けられる筐体と、
を備える、
スクリーン取付構造。
【請求項２】
前記吸収機構は、
前記フレームに設けられた突起と、
前記筐体に固定され、前記突起が摺動自在に嵌合された溝を有する補助フレームと、
を備える、
請求項１に記載のスクリーン取付構造。
【請求項３】
前記吸収機構は、
前記フレームの、前記スクリーンの端部を固定する部分と、前記筐体を取り付ける部分との間に設けられた弾性部を備える、
請求項１に記載のスクリーン取付構造。
【請求項４】
前記吸収機構は、
前記フレームに設けられた突起と、
前記筐体に設けられ、前記突起が摺動自在に嵌合された溝と、
を備える、
請求項１に記載のスクリーン取付構造。
【請求項５】
前記フレームは、前記スクリーン端部と接着されて固定され、前記スクリーンの前面に被さらないことを特徴とする、
請求項１〜４のいずれかに記載のスクリーン取付構造。
【請求項６】
前記吸収機構は、前記スクリーンの背面側に設けられることを特徴とする、
請求項１〜５のいずれかに記載のスクリーン取付構造。
【請求項７】
スクリーンと、
筐体と、
前記スクリーンを前記筐体に取り付けるための請求項１〜６のいずれかに記載のスクリーン取付構造と、
を備えるプロジェクションテレビ。
【発明の詳細な説明】
【技術分野】
【０００１】
本発明はスクリーン取付構造に関し、特に、プロジェクションテレビのスクリーン取付構造に関する。
【背景技術】
【０００２】
プロジェクションテレビ（以下、ＰＴＶ）に用いられるスクリーンは一般に、温度及び湿度の変化によって膨張・収縮することでスクリーン面方向に伸縮する性質を有している。
【０００３】
通常、スクリーンは、スクリーンの端部を固定するフレームを介して、筐体に取り付けられている。
【０００４】
このスクリーン取付構造が、スクリーンの伸縮による動きを吸収する吸収機構を備えない場合、この伸縮によってスクリーンにたわみが生じ、スクリーンが平面性を失うことで、映像が適切に投影されない問題がある。
【０００５】
そこで、従来の吸収機構は、スクリーンよりも大きく形成したフレームに設けた溝に、スクリーンの端部と、スクリーン端部を固定できるだけの弾性を有するスクリーンホルダーとを挟むことで、スクリーンを固定し、この溝にスクリーンが摺動を行える遊びスペースを設けることで、上述の問題を解決していた（特許文献１参照）。
【０００６】
また、前記同様スクリーンよりも大きく形成したフレームに設けた遊びスペースを有する溝に、スクリーン端部を、スクリーンの伸縮による動きを吸収する弾性体を介して保持することにより、上述の問題を解決したスクリーン取付構造も知られている（特許文献２参照）。
【先行技術文献】
【特許文献】
【０００７】
【特許文献１】特開平７−９２５６４号公報
【特許文献２】実開平４−４４７８号公報
【発明の概要】
【発明が解決しようとする課題】
【０００８】
特許文献１のスクリーン取付構造は、スクリーン端部を保持する溝によってスクリーンの伸縮による動きを吸収する構造であるので、例えば、輸送中などに、スクリーンが溝と摺動して擦れるために白粉が発生し、これがスクリーンに付着することにより画面欠点の原因となる問題があった。
【０００９】
また、特許文献１及び２のスクリーン取付構造は、スクリーンよりも大きく形成したフレームに遊びスペースを有する溝を設けてスクリーン端部を保持するため、即ちスクリーン横側に張り出して吸収機構を設けるため、スクリーンの伸縮分だけテレビ正面のフレーム幅を大きく設計する必要があり、意匠上の自由度が制限される問題があった。
【００１０】
そこで、本発明は上述の問題を解決するために成されたものであり、前述の白粉がスクリーンから発生せず、かつスクリーン横側に張り出すことなく意匠性に優れたスクリーン取付構造およびこれを備えるプロジェクションテレビの提供を目的とする。
【課題を解決するための手段】
【００１１】
本発明のプロジェクションテレビのスクリーン取付構造は、スクリーンの端部を遊びスペースなく固定するフレームと、スクリーンの伸縮によるフレームの動きを吸収する吸収機構と、吸収機構を介して前記フレームが取り付けられる筐体とを備える。
【発明の効果】
【００１２】
本発明は、プロジェクションテレビのスクリーン取付構造であって、スクリーン取付構造に備わる吸収機構によって、スクリーンの伸縮によるフレームの動きを吸収することができるため、スクリーンの歪みを抑制することができる。
【００１３】
また、吸収機構がフレームを介して設けられるため、スクリーンから白粉が発生せず、白粉の付着が原因となる画面欠点が発生しない。また、フレームは、スクリーンの端部を遊びスペースなく固定するので、吸収機構をスクリーン背面に設ければ、スクリーン正面から見たフレーム幅を小さくできるので、意匠的に好ましい。
【図面の簡単な説明】
【００１４】
【図１】実施の形態１に係るスクリーン取付構造の断面図である。
【図２】実施の形態１に係るスクリーンの収縮を示す図である。
【図３】実施の形態１に係るスクリーンの膨張を示す図である。
【図４】実施の形態２に係るスクリーン取付構造の断面図である。
【図５】実施の形態３に係るスクリーン取付構造の断面図である。
【図６】実施の形態４に係るスクリーン取付構造の断面図である。
【発明を実施するための形態】
【００１５】
＜実施の形態１＞
図１に本実施の形態におけるスクリーン取付構造の断面図を示す。光源、光変調器としての液晶パネル、投射レンズ等で構成される光学エンジン（図示せず）から射出される画像光は、投射ライン７の内側を通って、スクリーン２背面に投射される。
【００１６】
スクリーン２は、投射された投射光を映像として映し出すスクリーンフロントパネル２ａと、スクリーンフロントパネル２ａと密着され投射光を投射されるスクリーンリアパネル２ｂにより構成される。このスクリーン２の端部は、フレーム１に設けられた溝によって固定される。
【００１７】
フレーム１は、補助フレーム４によって支持され、補助フレーム４は、例えば、ボルト６によって筐体５に固定される。スクリーン２の伸縮によるフレーム１の動きを吸収する吸収機構は、フレーム１に設けられた突起１ａと、突起１ａが摺動自在に嵌合された溝４ａを有する補助フレーム４によって構成される。また、この吸収機構は図１に示すように、スクリーン２の背面側に設けられる。
【００１８】
なお、フレーム１は、ＰＴＶの意匠となりうる外観部品であり、また、スクリーン２を固定できるだけの強度を必要とする部品であるので、一般に、アルミニウムなどの非鉄金属で作られている。また、スクリーンフロントパネル２ａ及びスクリーンリアパネル２ｂは、一般に、プラスチック材で作られている。
【００１９】
図２及び図３を用いて、本実施の形態におけるスクリーン取付構造の吸収機構の動きを説明する。例えば、気温が低下することによりスクリーン２の温度が下がり、スクリーン２が収縮した場合には、フレーム１の突起１ａが溝４ａに対して収縮方向に摺動することにより、フレーム１の動き、即ちスクリーンの動きを吸収する（図２）。一方、例えば、気温が上昇してスクリーンの温度が上がり、スクリーンが伸張した場合にも同様に突起１ａが溝４ａに対して摺動することにより、フレーム１の動きを吸収する（図３）。
【００２０】
＜効果＞
本実施の形態におけるスクリーン取付構造は、ＰＴＶのスクリーン取付構造であって、スクリーン２の端部を遊びスペースなく固定するフレーム１と、スクリーン２の伸縮によるフレーム１の動きを吸収する吸収機構と、吸収機構を介してフレーム１が取り付けられる筐体５とを備える。
【００２１】
従って、吸収機構によってスクリーン２の伸縮によるフレーム１の動きを吸収することができるため、スクリーン２のたわみを抑制することが可能である。また、フレーム１がスクリーン２の端部を遊びスペースなく固定するため、吸収機構をスクリーン２背面側に設ければ、テレビ正面のフレーム幅１ｂを小さくすることが可能であり、意匠的に好ましい。
【００２２】
また、本実施の形態における吸収機構は、フレーム１に設けられた突起１ａと、筐体５に固定され、突起１ａが摺動自在に嵌合された溝４ａを有する補助フレーム４とを備える。
【００２３】
従って、吸収機構において、突起１ａと溝４ａが摺動してもスクリーンから白粉が発生せず、スクリーン２に白粉が付着することによる画面欠点の発生を抑制することができる。
【００２４】
また、本実施の形態におけるスクリーン取付構造の吸収機構は、スクリーン２の背面側に設けられることを特徴とする。
【００２５】
従って、テレビ正面のフレーム幅１ｂを、特許文献１及び特許文献２のスクリーン取付構造よりも小さくできるので、意匠性に優れたスクリーン取付構造を実現できる。
【００２６】
また、本実施の形態におけるＰＴＶは、スクリーン２と、筐体５と、スクリーン２を筐体５に取り付けるための、本実施の形態において説明したスクリーン取付構造とを備える。従って、本実施の形態におけるＰＴＶは、上述したスクリーン取付構造の効果と同様の効果を備える。
【００２７】
＜実施の形態２＞
実施の形態１では、スクリーン２の端部をフレーム１により遊びスペースなく固定するために、フレーム１に設けた溝で、スクリーン２の端部を挟むことにより固定したが、本実施の形態では、図４に示すように、スクリーン２の端部とフレーム１を、接着剤１０により接着して固定する。この固定方法により、スクリーン前面にフレーム１が被さらない構成が可能となり、フレーム幅１ｂをフレーム１の肉厚まで薄くすることができる。
【００２８】
その他の構造については、実施の形態１（図１）と同じであるので、説明を省略する。
【００２９】
＜効果＞
本実施の形態におけるスクリーン取付構造において、フレーム１は、スクリーン２の端部と接着剤１０により接着されて固定され、スクリーン２の前面に被さらないことを特徴とする。従って、テレビ正面から見たフレーム１のフレーム幅１ｂを、フレーム１の肉厚まで小さくできるので、より意匠性に優れたスクリーン取付構造を実現できる。
【００３０】
また、本実施の形態におけるＰＴＶは、スクリーン２と、筐体５と、スクリーンを筐体に取り付けるための、本実施の形態で説明したスクリーン取付構造とを備える。従って、上述したように、フレーム幅１ｂが小さい、意匠性に優れたＰＴＶを実現できる。
【００３１】
＜実施の形態３＞
本実施の形態におけるスクリーン取付構造の断面図を図５に示す。実施の形態１と同様にスクリーン２の端部がフレーム１によって遊びスペースなく固定され、フレーム１は筐体５に、筐体取付部分において、例えばボルト６により固定される。
【００３２】
スクリーン２の伸縮によるフレーム１の動きを吸収する吸収機構として、スクリーン２の伸張によるフレーム１の動きを吸収できるだけの弾性を有する弾性部１ｃが、フレーム１の、スクリーン２の端部を固定する部分と、筐体取付部分の間に設けられる。
【００３３】
弾性部１ｃは、例えば、フレーム１と同じ材質であり、肉厚を薄くすることによって、弾性を持たせることが可能である。
【００３４】
例えば、温度の変化により、スクリーン２が伸縮して、フレーム１のスクリーン２の端部を固定する部分が動いた場合、弾性部１ｃにおいて、その動きを吸収することで、スクリーン２のたわみを押さえることができる。
【００３５】
なお、実施の形態２のように、フレーム１にスクリーン２の端部を接着剤１０により接着して固定すれば、テレビ正面のフレーム幅１ｂをより小さくできるので、意匠的に好ましい。
【００３６】
本実施の形態におけるスクリーン取付構造に備わる吸収機構は、フレーム１の、スクリーン２の端部を固定する部分と、筐体５を取り付ける部分との間に設けられた弾性部１ｃを備える。また、本実施の形態におけるＰＴＶは、スクリーン２と、筐体５と、スクリーンを筐体に取り付けるための、本実施の形態で説明したスクリーン取付構造とを備える。
【００３７】
従って、実施の形態１で述べた効果に加えて、実施の形態１（図１）と比較して、補助フレーム４を用いないため、部品数を削減でき、製造コスト削減の効果がさらに期待できる。
【００３８】
＜実施の形態４＞
本実施の形態におけるスクリーン取付構造の断面図を図６に示す。本実施の形態は、実施の形態１（図１）における補助フレーム４を省いたスクリーン取付構造である。本実施の形態において、フレーム１は吸収機構を介して、筐体５に固定される。ここで、吸収機構は、フレーム１に設けられた突起１ａと、筐体５に設けられ、突起１ａが摺動自在に嵌合された溝５ａを備える。その他のスクリーン取付構造は、実施の形態１と同じであるので説明を省略する。
【００３９】
スクリーン２の伸縮によりフレーム１が動いた場合、上述した吸収機構において、突起１ａと溝５ａが摺動して、フレーム１の動きを吸収することで、スクリーン２のたわみを抑制する。
【００４０】
なお、実施の形態２のように、フレーム１にスクリーン端部を接着剤１０により接着して固定すれば、フレーム幅１ｂをより小さくできるので、意匠的に好ましい。
【００４１】
本実施の形態におけるスクリーン取付構造に備わる吸収機構は、フレーム１に設けられた突起１ａと、筐体５に設けられ、突起１ａが摺動自在に嵌合された溝５ａとを備える。従って、実施の形態１で述べた効果に加えて、実施の形態３と同様、補助フレーム４（図１）を用いないことにより、部品数を削減できるため、製造コスト削減の効果がさらに期待できる。
【００４２】
また、本実施の形態におけるＰＴＶは、スクリーン２と、筐体５と、スクリーンを筐体に取り付けるための、本実施の形態で説明したスクリーン取付構造とを備える。従って、上述のように、製造コストを削減してＰＴＶを製造することが可能である。
【００４３】
なお、本発明は、その発明の範囲内において、各実施の形態を自由に組み合わせたり、各実施の形態を適宜、変形、省略することが可能である。
【符号の説明】
【００４４】
１  フレーム、１ａ  突起、１ｂ  フレーム幅、１ｃ  弾性部、２  スクリーン、２ａ  スクリーンフロントパネル、２ｂ  スクリーンリアパネル、４  補助フレーム、４ａ，５ａ  溝、５  筐体、６  ボルト、７  投射ライン、１０  接着剤。
【図１】
2013160838.tif 000003
【図２】
2013160838.tif 000004
【図３】
2013160838.tif 000005
【図４】
2013160838.tif 000006
【図５】
2013160838.tif 000007
【図６】
2013160838.tif 000008